【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  シート状の記録材料を第１の搬送手段から第２の搬送手段へと受け渡し、前記記録材料を前記第２の搬送手段から第３の搬送手段へと送り出すシート状記録材料の搬送方法において、
前記第１の搬送手段は送りばらつきを含んだ搬送速度の最大値が前記第２の搬送手段の搬送速度よりも小さくされ、前記第３の搬送手段は送りばらつきを含んだ搬送速度の最小値が第２の搬送手段の搬送速度よりも大きくされ、
前記記録材料が第１の搬送手段から第２の搬送手段へと受け渡される間及び第２の搬送手段から第３の搬送手段へと受け渡される間は、記録材料が第２の搬送手段の搬送速度で搬送されることを特徴とするシート状記録材料の搬送方法。
【請求項２】  前記第２の搬送手段は、前記記録材料に対して画像記録を行う記録位置に記録材料を搬送する送り込みローラ対と、前記送り込みローラ対と同速度で回転し、記録済みの記録材料を前記第３の搬送手段へと送り出す送り出しローラ対とからなることを特徴とする請求項１記載のシート状記録材料の搬送方法。
【請求項３】  前記送り込みローラ対と前記送り出しローラ対との回転軸には、スチールベルトが架けられていることを特徴とする請求項２記載のシート状記録材料の搬送方法。
【請求項４】  前記第１の搬送手段は、前記記録材料を支持搬送する少なくとも一組の受け渡しローラ対と、前記受け渡しローラ対に取り付けられ、駆動手段からの駆動力を前記受け渡しローラ対に伝達する一方向クラッチとで構成され、記録材料が前記送り込みローラ対に狭持されると同時に、前記一方向クラッチにより受け渡しローラ対をフリーローラ化することを特徴とする請求項２又は３記載のシート状記録材料の搬送方法。
【請求項５】  前記第１の搬送手段は、前記記録材料を挟持搬送する少なくとも一組の受け渡しローラ対と、この受け渡しローラ対による記録材料の挟持を解除する挟持解除手段からなり、記録材料が前記送り込みローラ対に挟持されると同時に、前記受け渡しローラ対による記録材料の挟持を解除することを特徴とする請求項２又は３記載のシート状記録材料の搬送方法。
【請求項６】  前記第３の搬送手段は、ベルトコンベア又はローラコンベアであって、前記記録材料の後端が前記送り出しローラ対による挟持から解除されるまでの間は、前記ベルトコンベア又はローラコンベアの上で記録材料の先端部をスリップさせて搬送することを特徴とする請求項２〜５いずれか１項記載のシート状記録材料の搬送方法。
【請求項７】  シート状の記録材料の搬送を行う搬送系を、前記記録材料に対して画像記録を行う記録位置に記録材料を搬送する送り込みローラ対と、前記送り込みローラ対と同速度で回転し、記録済みの記録材料をベルトコンベアに送り出す送り出しローラ対と、記録材料を前記送り込みローラ対へと搬送する少なくとも１組の受け渡しローラ対とで構成し、
前記受け渡しローラ対による搬送速度を、送りばらつきを含めた最大値が前記送り込みローラ対の搬送速度よりも小さくし、前記ベルトコンベアによる搬送速度を、送りばらつきを含めた最小値が送り込みローラ対の搬送速度よりも大きくして、
前記受け渡しローラ対に一方向クラッチを設け、記録材料が前記送り込みローラ対に引き渡される際に前記一方向クラッチにより受け渡しローラ対をフリーローラ化し、
記録材料が送り出しローラ対による挟持から解除されるまでの間は、記録材料の先端部分を前記ベルトコンベアの上でスリップさせて、記録材料を送り出しローラ対による搬送速度で搬送することを特徴とするシート状記録材料の搬送方法。
【請求項８】  シート状の記録材料を記録位置に送り、この送りに同期させて記録手段により前記記録材料に記録を行うためのシート状記録材料の搬送装置において、
前記記録位置で記録材料を送る記録位置搬送手段と、この記録位置搬送手段に記録材料を送り込む記録前搬送手段と、記録済み記録材料を前記記録位置搬送手段から送り出す記録後搬送手段とを備え、
前記各搬送手段による記録材料の搬送速度を、記録前搬送手段、記録位置搬送手段、記録後搬送手段の順に大きくするとともに、記録位置搬送手段による記録材料搬送中では記録材料の搬送速度を記録前搬送手段及び記録後搬送手段の搬送速度よりも優先させることを特徴とするシート状記録材料の搬送装置。
【請求項９】  前記記録位置前搬送手段は送りばらつきを含んだ搬送速度の最大値が前記記録位置搬送手段の搬送速度よりも小さく、前記記録後搬送手段は送りばらつきを含んだ搬送速度の最小値が前記記録位置搬送手段の搬送速度よりも大きくされていることを特徴とする請求項８記載のシート状記録の搬送装置。
【請求項１０】  前記記録位置搬送手段による記録材料の搬送速度の優先は、前記記録前搬送手段とこれを駆動する駆動手段との間に一方向クラッチを設けて行うとともに、前記記録後搬送手段の記録材料搬送では記録材料をスリップさせて搬送することを特徴とする請求項８又は９記載のシート状記録材料の搬送装置。
【請求項１１】  前記記録位置搬送手段を、前記記録位置に記録材料を搬送する送り込みローラ対と、前記送り込みローラ対と同速度で回転し、記録済みの記録材料を前記記録後搬送手段に送り出す送り出しローラ対とから構成したことを特徴とする請求項８〜１０のいずれか１項記載のシート状記録材料の搬送装置。
【請求項１２】 シート状の記録材料を第１の搬送手段から第２の搬送手段へと受け渡すシート状記録材料の搬送方法において、
前記第１の搬送手段は送りばらつきを含んだ搬送速度の最大値が前記第２の搬送手段の搬送速度よりも小さくされ、
前記記録材料が第１の搬送手段から第２の搬送手段へと受け渡される間は、記録材料が第２の搬送手段の搬送速度で搬送されることを特徴とするシート状記録材料の搬送方法。
【手続補正２】
【補正対象書類名】明細書
【補正対象項目名】０００３
【補正方法】変更
【補正の内容】
【０００３】
【発明が解決しようとする課題】
このような走査露光を行う場合、主走査方向に対しては光学系を制御することにより、露光を精度良く行うことができる。しかし、副走査方向に対しては、たとえ同一速度で搬送されるように動作制御しても、記録位置搬送手段ほど精度の高くない記録前または記録後搬送手段の速度変動の影響を受け、感光材料の搬送速度が変動して、プリント写真に露光ムラが発生するおそれがあった。
【手続補正３】
【補正対象書類名】明細書
【補正対象項目名】００１０
【補正方法】変更
【補正の内容】
【００１０】
請求項８記載の発明は、シート状の記録材料を記録位置に送り、この送りに同期させて記録手段により前記記録材料に記録を行うためのシート状記録材料の搬送装置において、前記記録位置で記録材料を送る記録位置搬送手段と、この記録位置搬送手段に記録材料を送り込む記録前搬送手段と、記録済み記録材料を前記記録位置搬送手段から送り出す記録後搬送手段とを備え、前記各搬送手段による記録材料の搬送速度を、記録前搬送手段、記録位置搬送手段、記録後搬送手段の順に大きくするとともに、記録位置搬送手段による記録材料搬送中では記録材料の搬送速度を記録前搬送手段及び記録後搬送手段の搬送速度よりも優先するようにしたものである。
なお、前記記録位置前搬送手段は送りばらつきを含んだ搬送速度の最大値が前記記録位置搬送手段の搬送速度よりも小さく、前記記録後搬送手段は送りばらつきを含んだ搬送速度の最小値が前記記録位置搬送手段の搬送速度よりも大きく定めることが好ましい。また、前記記録前搬送手段とこれを駆動する駆動手段との間に一方向クラッチを設けて行うとともに、前記記録後搬送手段の記録材料搬送では記録材料をスリップさせて搬送することで、記録位置搬送手段による記録材料の搬送速度の優先を行うことができる。また、前記記録位置搬送手段を、前記記録位置に記録材料を搬送する送り込みローラ対と、前記送り込みローラ対と同速度で回転し、記録済みの記録材料を前記記録後搬送手段に送り出す送り出しローラ対とから構成しても良い。
【手続補正４】
【補正対象書類名】明細書
【補正対象項目名】００１１
【補正方法】変更
【補正の内容】
【００１１】
請求項１２記載の発明は、シート状の記録材料を第１の搬送手段から第２の搬送手段へと受け渡すシート状記録材料の搬送方法において、前記第１の搬送手段は送りばらつきを含んだ搬送速度の最大値が前記第２の搬送手段の搬送速度よりも小さくされ、前記記録材料が第１の搬送手段から第２の搬送手段へと受け渡される間は、記録材料が第２の搬送手段の搬送速度で搬送されるようにしたものである。
【手続補正５】
【補正対象書類名】明細書
【補正対象項目名】００１２
【補正方法】変更
【補正の内容】
【００１２】
【発明の実施の形態】
以下、図面を参照して本発明の実施形態について説明する。図１はプリンタプロセサを示す概略図であり、プリンタプロセサ１０は、互いに接続されたプリンタ１１とプロセサ１２から構成される。プリンタ１１は、ペーパー装填部１３、ペーパーカッタ１４、裏印字装置１５、露光部１６、ペーパー振り分け部１７から構成される。プロセサ１２は、現像処理装置２０、スクイズ装置２１、乾燥装置２２、集積装置２３から構成される。
【手続補正６】
【補正対象書類名】明細書
【補正対象項目名】００１４
【補正方法】変更
【補正の内容】
【００１４】
ペーパーカッタ１４は、固定刃１４ａと可動刃１４ｂから構成され、ペーパー装填部１３と裏印字装置１５との間に配置される。感光記録紙２５の先端がペーパーカッタ１４より所定の長さだけ送り出されると、図示しないカッタ駆動機構が作動して可動刃１４ｂが固定刃１４ａの方へと移動し、感光記録紙２５を切断してカットシート状の記録紙シート３０とする。記録紙シート３０は、複数の搬送ローラ対３１及び図示しないガイドレールに沿って裏印字装置１５へと搬送される。
【手続補正７】
【補正対象書類名】明細書
【補正対象項目名】００１６
【補正方法】変更
【補正の内容】
【００１６】
露光装置３２には、周知のレーザープリンターが備えられている。露光装置３２は、各種ローラ対３３〜３６によって搬送される記録紙シート３０に対して、画像メモリに記憶された画像データに基づき強度変調されたレーザ光を照射して露光を行う。露光済みの記録紙シート３０は、ベルトコンベア３７に送られる。記録紙シート３０は、ベルトコンベア３７の上で搬送される際にペーパー振り分け部１７によって複数列に振り分けられ、現像処理装置２０に送られる。
【手続補正８】
【補正対象書類名】明細書
【補正対象項目名】００２１
【補正方法】変更
【補正の内容】
【００２１】
送り込みローラ対３３及び送り出しローラ対３４は、それぞれ、ガイド板４７を挟んで上下に配されたキャプスタンローラ５０，５１及び従動ローラであるニップローラ５２，５３からなる。送り込みローラ対３３側のキャプスタンローラ５０には、図示しないベルトを介して送り用モータ５４が接続される。この送り用モータ５４には、例えば、ロータ歯数が１００歯の５相のパルスモータが用いられる。この送り用モータ５４は、例えば１０回転／秒以上の速度で回転するように、駆動パルスが印加されるとともに、常に等速度で回転するように駆動制御されている。
【手続補正９】
【補正対象書類名】明細書
【補正対象項目名】００２２
【補正方法】変更
【補正の内容】
【００２２】
なお、図面の煩雑化を避けるために図５においてのみ図示しているが、ニップローラ５２，５３の間にはテンショナプーリ６９が配置され、このテンショナプーリ６９とキャプスタンローラ５０，５１とには、伸び縮みのないスチールベルト５５が架けられている。このため、単一の送り用モータ５４によって、２つのキャプスタンローラ５０，５１が等速度で回転する。
【手続補正１０】
【補正対象書類名】明細書
【補正対象項目名】００３１
【補正方法】変更
【補正の内容】
【００３１】
記録紙シート３０の搬送が開始されると、図５に示す状態から図６に示す状態へと偏心カム６５が図中時計方向に回動して前段側駆動レバー６０を回動させ、前段側のニップローラ５２が挟持位置へと下降する。記録紙シート３０が送り込みローラ対３３により挟持搬送され、その先端が後段側の位置センサ７１を通過すると、図６に示す状態から図７に示す状態へと偏心カム６５が図中時計方向に回動して、後段側駆動レバー６１のみを回動させる。前段側ニップローラ５２が挟持位置に保持されたまま、後段側のニップローラ５３のみが挟持位置へと移動する。そして、記録紙シート３０の先端が送り出しローラ対３４を通過した後に後段側ニップローラ５３が挟持位置へと到達する。
【手続補正１１】
【補正対象書類名】明細書
【補正対象項目名】００３６
【補正方法】変更
【補正の内容】
【００３６】
図２において、記録紙シート３０は、送り出しローラ対３４を通過した後、ベルトコンベア３７に移動する。ベルトコンベア３７は、搬送用モータ９４によって駆動されるコンベアローラ３７ａと、このコンベアローラ３７ａの外周に巻き付けられる搬送用ベルト３７ｂとから構成される。コンベアローラ３７ａとともに搬送用ベルト３７ｂが回転して、この搬送用ベルト３７ｂの上部に配された記録紙シート３０が速度Ｖ３で搬送される。なお、ベルトコンベア３７による搬送速度Ｖ３は、送りばらつきを含めた最小値が、送り込みローラ対３３による搬送速度Ｖ２よりも大きくなるように定められている。
【手続補正１２】
【補正対象書類名】明細書
【補正対象項目名】００３８
【補正方法】変更
【補正の内容】
【００３８】
以下、上記構成による作用について説明する。プリンタプロセサ１０の電源が投入された後、プリント命令が発せられると、図１に示すように記録紙ロール２６から感光記録紙２５が引き出され、ペーパカッタ１４で切断されて記録紙シート３０となる。この記録紙シート３０が複数の搬送ローラ対３１によって搬送される際に裏印字装置１５により裏印字が行われ、受け渡しローラ対３５，３６に挟持される。
【手続補正１３】
【補正対象書類名】明細書
【補正対象項目名】００４０
【補正方法】変更
【補正の内容】
【００４０】
記録紙シート３０は送り込みローラ対３３によりさらに送り出され、記録領域の先端が露光位置に達すると、露光装置３２が駆動して記録紙シート３０の露光面に１ラインずつ画像記録が行われる。また、記録紙シート３０の先端が後段側の位置センサ７１を通過すると、偏心カム６５が回転して後段側のニップローラ５３が挟持位置へと移動する。そして、後段側のニップローラ５３は、記録紙シート３０の先端が送り出しローラ対３４の間を通過した後に挟持位置へと達し、記録紙シート３０が送り出しローラ対３４によって挟持される。これにより、送り出しローラ対３４を通過する際の衝撃が抑えられ、速度変動に伴う露光ムラの発生を防止することができる。
【手続補正１４】
【補正対象書類名】明細書
【補正対象項目名】００４１
【補正方法】変更
【補正の内容】
【００４１】
また、露光の際、記録紙シート３０は送り込みローラ対３３と送り出しローラ対３４との間に配された記録紙ガイド５６によって支持されている。これにより、露光時に記録紙シート３０が垂れることがなく、露光位置精度が向上する。
【手続補正１５】
【補正対象書類名】明細書
【補正対象項目名】００４２
【補正方法】変更
【補正の内容】
【００４２】
そして、記録紙シート３０の後端が前段側の位置センサ７０を通過すると、偏心カム６５が再び回転し、前段側のニップローラ５２が押し上げられる。このため、記録紙シート３０が該ニップローラ５２からの挟持が解除される際に生じる衝撃が軽減され、衝撃や速度変動による露光ムラを防止することができる。
【手続補正１６】
【補正対象書類名】明細書
【補正対象項目名】００４４
【補正方法】変更
【補正の内容】
【００４４】
上記実施形態では、偏心カム６５の回転によりニップローラ５２，５３の昇降を行っているが、ニップローラ５２，５３の昇降を行う機構を別個独立に設けても良い。また、上記実施形態では、受け渡しローラ対３５，３６をフリーローラ化することで記録紙シート３０の受け渡しを行っているが、ニップローラ８２，８３を昇降させる機構を設け、記録紙シート３０の受け渡しが行われる際にニップローラ８２，８３を退避させることにより、受け渡しローラ対３５，３６による挟持を解除するようにしても良い。また、上記実施形態では、露光部１６から現像処理装置２０への搬送にベルトコンベア３７を用いているが、同速度で回転する複数個のローラからなるローラコンベアを用いても良い。
【手続補正１７】
【補正対象書類名】明細書
【補正対象項目名】図４
【補正方法】変更
【補正の内容】
【図４】  キャプスタンローラと記録紙ガイドの断面図である。